(57)【要約】      （修正有）【課題】液晶表示パネルとパネルホルダーとの引っ掛かりを無くすために、液晶表示パネルに褶動性カバーを設けることなく、液晶表示パネルの変形に追従する構造とすることで表示ムラを無くすことが出来る。【解決手段】液晶表示装置は、液晶表示パネル２０の下端に位置するパネルホルダー３０に分割し可動するパネル保持リブ３１を配置し、液晶表示パネル２０の変形とともに連れ動くパネル保持リブ３１を有する。【選択図】図４
2013037308.tif 000002
【特許請求の範囲】
【請求項１】
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部で前記パネルホルダーと摺動することを特徴とする液晶表示装置。
【請求項２】
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部に摺動部材を具備し、前記摺動部材と前記嵌合部が摺動することを特徴とする液晶表示装置。
【請求項３】
前記摺動部材は、円柱形状であることを有することを特徴とする請求項２に記載の液晶表示装置。
【請求項４】
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部で前記パネルホルダーと摺動し、
前記パネル保持リブと前記液晶表示パネルとの当接部は、前記液晶表示パネル下端が接触し、前記液晶表示パネルの前面側および背面側は前記液晶表示パネルから離れるように斜面となっていることを特徴とする液晶表示装置。
【請求項５】
前記液晶表示パネルと前記パネル保持リブと前記パネルホルダーの材質が、前記液晶表示パネルの下端と前記パネル保持リブの接触面での静摩擦係数をμ１、前記パネル保持リブと前記パネルホルダーの接触面での静摩擦係数をμ２とすると、
μ１＞μ２
となることを特徴とする請求項１、請求項２、請求項４の何れか１項に記載の液晶表示装置。
【請求項６】
前記パネル支持リブの材質がポリアセタールまたはナイロンであることを特徴とする請求項１、請求項２、請求項４の何れか１項に記載の液晶表示装置。
【請求項７】
前記パネル保持リブは、前記液晶表示パネルの重力方向に当接する端部に位置することを特徴とする請求項１、請求項２、請求項４の何れか１項に記載の液晶表示装置。
【発明の詳細な説明】
【技術分野】
【０００１】
本発明は、表示ムラを改善する構造を有する液晶表示装置に関するものである。
【背景技術】
【０００２】
液晶表示装置は、液晶表示パネルと、この液晶表示パネルを照明するバックライトユニット、バックライトユニットからの光を集光する光学シート類を備えている。液晶表示パネルはその背面に、光学シート類、バックライトユニットの順番で配置されている。通常、液晶表示パネルは、光学シート類から一定の空間を保つ為と、液晶表示パネル自体を保持する目的から、周囲と背面を覆うように樹脂製のパネルホルダーが配置されている。また、前面には金属製のフレームが配置され、前記パネルホルダーと前記フレームによりクッション等の弾性体を介して狭持されている。
【０００３】
液晶表示パネルは大型マザーガラスを切断して得られる。その端面は平滑ではなくバリがあり、他の部材に引っ掛かり易い形状になっている。
【０００４】
液晶表示装置を直立させたとき、液晶表示パネルの下端がパネルホルダーに接触している。このとき、液晶表示パネルの自重とバリの影響により、液晶表示パネルの下端がパネルホルダーに引っ掛かかることがあり、液晶表示パネルが元の位置に戻ることができず、わずかに変形することがあった。これが原因となり、表示ムラが生じることがある。
【０００５】
前記表示ムラを改善させるために、液晶表示パネルの下端がパネルホルダーに引っ掛からず、元の位置に戻りやすくする構造が知られている（特許文献１）。
【０００６】
図９は特許文献１に記載の先行技術の断面斜視図である。液晶表示パネル２００は、パネルホルダー３００の上に配置された弾性体３０１と、フレーム１０１の下に配置された弾性体１０１に狭持されている。また、液晶表示パネル２００の下端はカバー２０１で覆われている。カバー２０１の表面は滑らかな表面を有しており、パネルホルダー３００とカバー２０１は摩擦が小さいため、カバー２０１をされた液晶表示パネル２００は、パネルホルダー３００に引っ掛かることなく、元の位置に戻りやすくなる。
【先行技術文献】
【特許文献】
【０００７】
【特許文献１】特開２０１０−２０４３５７号公報
【発明の概要】
【発明が解決しようとする課題】
【０００８】
液晶表示装置を長時間使用し、製品全体が暖まった状態だと、先行技術では次の課題がある。
【０００９】
液晶表示パネル２００は、製品からの熱あるいは、バックライトからの熱を受けて反りを生じる。液晶表示パネル２００は主な材質としてガラスであり、カバー２０１は樹脂とする。それぞれの材質は異なっており、反りの変形量も異なる。このとき、カバー２０１が液晶表示パネル２００を部分的に圧迫する。液晶表示装置が熱を持つとカバー２０１により、新たに表示ムラを起こすおそれがある。
【００１０】
一方、液晶表示パネル２００の反り変形に追従するように、カバー２０１の材質を硬度の低いものとする。しかし、パネルホルダー３００との摩擦が大きくなり、液晶表示パネル２００がパネルホルダー３００に対し、自由な位置に移動できなくなる。この場合も、表示ムラを起こす原因となりうる。
【課題を解決するための手段】
【００１１】
上述した課題を解決するために、本発明の液晶表示装置は、
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部で前記パネルホルダーと摺動することを特徴とするものである。
【００１２】
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部に摺動部材を具備し、前記摺動部材と前記嵌合部が摺動することを特徴とするものである。
【００１３】
また、前記摺動部材は、円柱形状であることを有することを特徴とするものである。
【００１４】
立設された液晶表示パネルと、前記液晶表示パネルの下端に位置するパネルホルダーと、前記パネルホルダーに配設され前記液晶表示パネルの下端を支持するパネル保持リブを有し、
前記パネル保持リブは、前記液晶表示パネルの下端の複数個所に当接し、前記パネルホルダーの凹部に入り込む嵌合部を有し、前記嵌合部で前記パネルホルダーと摺動し、
前記パネル保持リブと前記液晶表示パネルとの当接部は、前記液晶表示パネル下端が接触し、前記液晶表示パネルの前面側および背面側は前記液晶表示パネルから離れるように斜面となっていることを特徴とするものである。
【００１５】
また、前記液晶表示パネルと前記パネル保持リブと前記パネルホルダーの材質が、前記液晶表示パネルの下端と前記パネル保持リブの接触面での静摩擦係数をμ１、前記パネル保持リブと前記パネルホルダーの接触面での静摩擦係数をμ２とすると、
μ１＞μ２
となることを特徴とするものである。
【００１６】
また、前記パネル支持リブの材質がポリアセタールやナイロンであることを特徴とするものである。
【００１７】
また、前記パネル保持リブは、前記液晶表示パネルの重力方向に当接する端部に位置することを特徴とする。
【発明の効果】
【００１８】
本発明によれば、パネルホルダーの液晶表示パネル下端が接触する箇所に、パネル保持リブを複数個所に分割して配置し、可動出来るようにすることで、表示ムラを改善できるようにした。
【図面の簡単な説明】
【００１９】
【図１】本発明の実施の形態に係る液晶表示装置の分解斜視図である。
【図２】本発明の実施の形態に係る液晶表示パネルの支持構造を示す正面図である。
【図３】本発明の実施の形態に係る液晶表示パネルの支持部の詳細を説明する分解斜視図である。
【図４】本発明の実施の形態に係る液晶表示装置の図２のＡ−Ａにおける断面図である。
【図５】本発明の第２の実施の形態に係る液晶表示パネルの支持構造を示す正面図である。
【図６】本発明の第２の実施の形態に係る液晶表示装置の図５のＡ−Ａにおける断面図である。
【図７】本発明の第３の実施の形態に係る液晶表示パネルの支持構造を示す正面図である。
【図８】本発明の実施の形態に係る液晶表示装置の図７のＡ-Ａにおける断面図である。
【図９】特許文献１記載の液晶表示装置の断面図である。
【発明を実施するための形態】
【００２０】
［実施例１］
以下、本発明の実施形態を図面を参照しながら詳細に説明する。
【００２１】
図１は、本発明の実施の形態に係る液晶表示装置の分解斜視図である。
【００２２】
液晶表示パネル２０は、樹脂製のパネルホルダー３０とフレーム１０の間に配置される。ＬＥＤ基板６０にはＬＥＤ６０ａが複数実装されており、ケース７０に固定されている。ＬＥＤ基板６０上には反射シート５０が配置され、ＬＥＤ６０ａから発光された光が液晶表示パネル２０の方向に効率よく反射させるために設けられる。その前面には光学シート類４０が配置され、パネルホルダー３０とケース７０により狭持される。光学シート類４０は、光を拡散させる拡散シートや、拡散した光を前面に集光させ輝度を上昇させるレンズシートである。複数のＬＥＤ６０ａから出射された光は、光学シート類４０を通過して、液晶表示パネル２０に到達する。液晶表示パネル２０を透過した光が画像として表示される。このとき、パネルホルダー３０からケース７０までをバックライトユニット８０という。
【００２３】
図２は本発明の実施の形態に係る液晶表示パネルの支持構造を示す正面図である。
【００２４】
液晶表示パネル２０がパネルホルダー３０に収納されている状態を示す。このとき−Ｙ方向が重力方向とし、表示エリア２０ａがＸ軸方向に横長で設置されている状態である。液晶表示パネル２０の上端は映像信号が入力される複数のＣＯＦ２１が接続され、下端は複数のパネル保持リブ３１に当接している。液晶表示パネル２０の左端はわずかに隙間を介してリブ３２を有する。また、右端は下端同様パネル保持リブ３１が配置されている。液晶表示パネル２０のＸ方向はリブ３２とパネル保持リブ３１により、位置決めされている。液晶表示装置１はＹ方向を画面上方向として使用する場合と、画面を９０度回転させて、−Ｘ方向を画面上方向として使用する場合がある。パネル保持リブ３１は液晶表示パネル２０の自重を受ける位置に配置するため、前記の様な回転させて使用する場合を考慮し、液晶パネル２０の右端にも配置されている。本発明では、画面中心を回転軸として時計回りに回転可能としてるが、反時計回りの場合は液晶表示パネル２０の左端にパネル保持リブ３１を配置可能である。
【００２５】
次に、パネル保持リブの構造について詳細に説明する。図３は、本発明の実施の形態に係る液晶表示パネルの支持部の詳細を説明する分解斜視図である。また、図４は、本発明の実施の形態に係る液晶表示装置の図２のＡ−Ａにおける断面図である。
【００２６】
図３において、パネル支持リブ３１は凸部３１ａと支持部３１ｂからなる。パネルホルダー３０は、凹部３０ａが形成されている。凹部３０ａにパネル保持リブ３１の凸部３１ａが入り込む。凸部３１ａがあることにより、パネルホルダー３０からパネル保持リブ３１が脱落しないようになっている。液晶表示パネル２０は支持部３１ｂに当接する。
【００２７】
図４において、液晶表示パネル２０は弾性体１１と弾性体１２に狭持されている。弾性体１１と弾性体１２はクッション系の材質であり、スポンジ状のため、液晶表示パネル２０は強固に固定されていない。また、液晶表示パネル２０の下端はパネル保持リブ３１と接触している。パネル保持リブ３１はパネルホルダー３０と接触している。このとき、液晶表示パネル２０下端はガラス端面でバリがあり、樹脂製のパネル保持リブ３１にバリが引っ掛かり連れ動く。また、液晶表示パネル２０の下端とパネル保持リブ３１の接触面での静摩擦係数をμ１、パネル保持リブ３１とパネルホルダー３０の接触面での静摩擦係数をμ２とすると、
μ１＞μ２
となる。
【００２８】
液晶表示パネル２０の下端において接触面と並行の方向に力が加わったとき、液晶表示パネル２０とパネル保持リブ３１の接触面で褶動する前に、パネル保持リブ３１とパネルホルダー３０の接触面で褶動が始まる。つまり、パネル保持リブ３１とパネルホルダー３０の接触面での静摩擦係数が、液晶表示パネル２０の下端とパネル保持リブ３１の接触面での静摩擦係数より小さくなるような材質をそれぞれ選定すれば良い。特にパネル保持リブ３１とパネルホルダー３０は樹脂製であり、例えば、パネル保持リブ３１の材質としてポリアセタールやナイロン等の摺動性の良いものを使用すると、さらに動きやすくなる。
【００２９】
従って、液晶表示パネル２０がバックライト等からの熱により反り変形すると、それに伴いパネル保持リブ３１も連動する。よって、液晶表示パネル２０はパネルホルダー３０に直接引っ掛からなくなるので、引っ掛かった点における変形で表示ムラを起こすおそれが無くなる。
【００３０】
［実施例２］
本発明の第２の実施形態は、実施例１にパネル保持リブの褶動構造を追加したものである。図５は、本発明の第２の実施の形態に係る液晶表示パネルの支持構造を示す正面図である。
【００３１】
図２同様に、液晶表示パネル２０がパネルホルダー３２０に収納されている。−Ｙ方向が重力方向であり、図５は液晶表示パネル２０の下端がパネル保持リブ３２１に当接している。また、−Ｘ方向が重力方向として使用する場合もあるため、右端にもパネル保持リブ３２１が設置されている。
【００３２】
図６は、本発明の第２の実施の形態に係る液晶表示装置の図５のＡ−Ａにおける断面図である。
【００３３】
液晶表示パネル２０は、弾性体１１と弾性体１２に狭持されている。液晶表示パネル２０の下端は、パネル保持リブ３２１に当接している。パネルホルダー３２０において、パネル保持リブ３２１が接触する近傍に、円柱形状のシャフト３２２が２本挿入されている。前記シャフト３２２はパネルホルダー３２０に挿入された位置において回転することが可能となっている。パネル保持リブ３２１の端面は、前記シャフト３２２に接触しており、シャフト３２２が回転することにより図中の矢印方向に摺動することが可能である。
【００３４】
従って、液晶表示パネル２０がバックライト等からの熱により反り変形すると、それに伴いパネル保持リブ３２１も連動する。よって、液晶表示パネル２０はパネルホルダー３２０に直接引っ掛からなくなるので、引っ掛かった点における変形で表示ムラを起こすおそれが無くなる。
【００３５】
［実施例３］
本発明の第３の実施形態は、前記に説明した第１の実施形態のパネル保持リブをもとに液晶表示パネルとの当接部を変形したものである。図７は、本発明の第３の実施の形態に係る液晶表示パネルの支持構造を示す正面図である。
【００３６】
図２、図５同様に液晶表示パネル２０はパネルホルダー３３０に収納されている。−Ｙ方向を重力方向とすると、ここでも、パネル保持リブ３３１が液晶表示パネルの下端および右端に複数配置されている。
【００３７】
本発明の実施の形態に係る液晶表示装置の図７のＡ-Ａにおける断面図である。
【００３８】
実施例１および実施例２同様に液晶表示パネル２０の下端はパネル保持リブ３３１に当接されている。パネル保持リブ３３１は、液晶表示パネル２０の下端が当接する箇所において、前斜面３３１ａ、底面３３１ｂ、後斜面３３１ｃを有している。前記前斜面３３１ａ、底面３３１ｂ、後斜面３３１ｃにて形成される形状は凹部になっており、液晶表示パネル２０の下端は、前記凹部に滑り込む形状となっている。パネル保持リブ３３１はパネルホルダー３３０に対して、実施例１同様に図中の矢印の方向に摺動する。液晶表示パネル２０の下端は底面３３１ｂで引っ掛かるとき、パネル保持リブ３３１も液晶表示パネル２０の変形とともに連動する。引っ掛かりが解除されたときでも、前斜面３３１ａと後斜面３３１ｃが、液晶表示パネル２０を押さえるので液晶表示パネル２０が変形しても、パネル保持リブ３３１と連動することが出来る。また、前斜面３３１ａと後斜面３３１ｂは斜面になっており、液晶表示パネル２０の下端を誘い込むようになっている液晶表示パネル２０の表裏を押える構造ではない。つまり、液晶表示パネル２０の表裏にかかる応力は発生しない為、表示ムラが生じない構造となっている。
【００３９】
以上のように、液晶表示パネルに当接するパネル保持リブを、パネルホルダー側に独立して設け、かつパネルホルダーと摺動可能とすることで、液晶表示パネルに直接取り付けるカバー等の部品を使用しなくても、表示ムラの発生を防止することが出来る。
【符号の説明】
【００４０】
１  液晶表示装置
１０  フレーム
２０  液晶表示パネル
３０、３２０、３３０  パネルホルダー
３１、３２１、３３１  パネル保持リブ
４０  光学シート類
５０  反射シート
６０  ＬＥＤ基板
７０  ケース
【図１】
2013037308.tif 000003
【図２】
2013037308.tif 000004
【図３】
2013037308.tif 000005
【図４】
2013037308.tif 000006
【図５】
2013037308.tif 000007
【図６】
2013037308.tif 000008
【図７】
2013037308.tif 000009
【図８】
2013037308.tif 000010
【図９】
2013037308.tif 000011